Podtech/llm-jp-corpus-v4-ja_patent huggingface dataset:
(57)【要約】      （修正有）【課題】水平及び垂直方向の穴あけを容易且つ正確に出来る気泡管水準器のついたドリルを提供する。【解決手段】電動ドリル本体１に気泡管水準器２を（Ａ基準線）に対して水平に、又気泡水準器３を垂直に取り付けて、水平及び垂直方向の基準となるようにした。これにより、水平及び垂直方向の穴あけが容易且つ正確に出来る。【選択図】図１
0003109735.tif 000002
【実用新案登録請求の範囲】
【請求項１】
電動ドリルに気泡管水準器を取り付けたドリル
【考案の詳細な説明】
【技術分野】
【０００１】  この考案は穴あけ作業時の水平・垂直方向の穴あけを正確にする為のものである。
【背景技術】
【０００２】  従来は気泡管水準器を取り付けた電動ドリルはなかった。
【考案の開示】
【考案が解決しようとする課題】
【０００３】  水平及び垂直方向の穴あけをする時、基準になるものがなく見た目や経験で穴をあけていたため大変難しかった。本考案はこれを容易、且つ正確にする為になされたのもである。
【課題を解決するための手段】
【０００４】  電動ドリル▲１▼に気泡管水準器▲２▼を（Ａ基準線）に対して水平に取り付けて、水平方向の穴あけを正確に出来るようにした、また気泡管水準器▲３▼を（Ａ基準線）に対して垂直に取り付けて垂直方向の穴あけも正確に出来るようにした。
【考案の効果】
【０００５】  水平・垂直の基準がない場所でも容易に水平・垂直がわかるため、正確に水平及び垂直方向の穴あけが出来るようになる。
【図面の簡単な説明】
【０００６】
【図１】  水平方向の使用状況を示す側面図である。
【図２】  垂直方向の使用状況を示す側面図である。
【符合の説明】
【０００７】▲１▼電動ドリル本体
▲２▼気泡管水準器（水平）
▲３▼気泡管水準器（垂直）
Ａ基準線
電動ドリルに錐を装着したときの錐方向の延長線
【図１】
0003109735.tif 000003
【図２】
0003109735.tif 000004
(57)【要約】      （修正有）【課題】商品中にシート材と同梱されている中芯、ヘラをチーフハンガー、ネクタイハンガー等として再利用する。【解決手段】ＰＰ材成形により、変則的な形状にする。【選択図】図１
0003109023.tif 000002
【実用新案登録請求の範囲】
【請求項１】
ハガセル透明シート等の商品の中に使用されている、中芯、ヘラをＰＰ材にて成形することにより、同時に生産可能にし、又、顧客が使用後、再利用として、「ネクタイハンガー」、「チーフハンガー」等に利用出来る様、他目的の利用を考えた案の内、フック部分を、一体型にしたものを請求項１とするものです。
【請求項２】
上記請求項１の内容で、他目的利用の、「ネクタイハンガー」、「チーフハンガー」等の、利用出来る成形の形を、ハンガー部分を分離型にした形を、請求項２とするものです。
【考案の詳細な説明】
【技術分野】
【０００１】本考案は、ヘラ・中芯を、ネクタイハンガー・チーフハンガーとして、再利用する為の考案です。
【背景技術】
【０００２】ＰＰ材の成形技術を利用し、形状を工夫したものです。
【考案の開示】
【考案が解決しようとする課題】
【０００３】商品購入、使用後、ヘラ、中芯は、破棄されるのを、他の目的（ネクタイハンガー・チーフハンガー）に、利用出来る様にしたものです。
【課題を解決するための手段】
【０００４】ヘラ・中芯を、ＰＰ材成形により、形状変更したものです。
【考案の効果】
【０００５】商品の中に含まれているヘラ・中芯を、形状の変更により、他の目的に利用出来るよう付加価値を付けたものです。
【考案を実施するための最良の形態】
【０００６】中芯にも利用出来、同時に、中芯を、ＰＰ材成形にすることにより、ヘラも同時に生産され、又、中芯、ヘラとして使用後、他目的（ネクタイハンガー、チーフハンガー）として利用出来る形態です。
【実施例】
【０００７】中芯の形状内にヘラとして、利用出来る部分と、ネクタイハンガー・チーフハンガーとして、再利用出来る形状にしたものを、ハガセル透明シート等の販売時に、中芯がネクタイハンガー、チーフハンガーとして使える「お徳感」を付けて、今後販売予定です。
【産業上の利用可能性】
【０００８】ＰＰ材成形品の、再利用としての可能性があります。
【図面の簡単な説明】
【０００９】
【図１】「ハンガーのフック部分を、分離せずに、一体型とした立体図面である。」
【図２】「ハンガーのフック部分を、ヘラの形状に入れた、平面図、断面図である。」
【図１】
0003109023.tif 000003
【図２】
0003109023.tif 000004
【手続補正書】
【提出日】平成16年11月6日(2004.11.6)
【手続補正１】
【補正対象書類名】実用新案登録請求の範囲
【補正対象項目名】全文
【補正方法】変更
【補正の内容】
【実用新案登録請求の範囲】
【請求項１】
ハガセル透明シート等の商品の中に使用されている、中芯、ヘラをＰＰ材にて成形することにより、同時に中芯とヘラが生産可能にし、又、顧客が使用後、再利用として、「ネクタイハンガー」、「チーフハンガー」等に利用出来る様、他目的の利用を考えた案の内、フック部分を、一体型にしたハンガー。
【請求項２】
上記請求項１の内容で、他目的利用の、「ネクタイハンガー」、「チーフハンガー」等に利用出来るハンガーであるが、これはフック部分「ヘラ」を利用し、ヘラとして使用後、組立て式の、フック部分を分離した分離型のハンガー。
【手続補正２】
【補正対象書類名】明細書
【補正対象項目名】全文
【補正方法】変更
【補正の内容】
【考案の詳細な説明】
【技術分野】
【０００１】本考案は、壁用保護シートに利用しているヘラ・中芯を、ネクタイハンガー・チーフハンガー等として、再利用する為のハンガーに関するものである。
【背景技術】
【０００２】ＰＰ材の成形技術を利用し、形状を工夫したハンガー。
【考案の開示】
【考案が解決しようとする課題】
【０００３】商品購入、使用後、ヘラ、中芯は、破棄されるのを、他の目的（ネクタイハンガー・チーフハンガー等）に、利用出来る様にしたハンガー。
【課題を解決するための手段】
【０００４】ヘラ・中芯を、ＰＰ材成形により、形状変更したハンガー。中芯外寸法を、ハンガーの外寸法として、支柱を３箇所，内側４箇所，刳り抜き部分の形状とし、フック部分を本体に１体型にしたハンガー又、ヘラの部分にフック部分としての機能を付加した形状にし、ハンガー本体に組立てハンガーとしたもので、ハンガーとして再活用することにより廃材となるものが、再利用出来、リサイクル化を進めることになる。
【考案の効果】
【０００５】商品の中に含まれているヘラ・中芯を、形状、材料の変更により、使用後廃棄されるものが、他の目的ハンガーとして、利用出来るよう付加価値を付けたものです。
【考案を実施するための最良の形態】
【０００６】中芯にも利用出来、同時に、中芯を、ＰＰ材成形にすることにより、ヘラも同時に生産され、又、中芯、ヘラとして使用後、他目的（ネクタイハンガー、チーフハンガー等）として再利用出来る形態のハンガーです。
【実施例】
【０００７】中芯の形状内にヘラとして、利用出来る部分と、ネクタイハンガー・チーフハンガー等として、再利用出来る形状にしたものを、ハガセル透明シート等の販売時に、中芯がネクタイハンガー、チーフハンガー等として使える「お徳感」を付けて、今後販売予定です。
【産業上の利用可能性】
【０００８】ＰＰ材成形品の、再利用としての可能性があります。
【図面の簡単な説明】
【０００９】
【図１】「ハンガーのフック部分を、分離せずに、一体型とした立体図面である。」
【図２】「ハンガーのフック部分を、ヘラの形状に入れた、平面図、断面図である。」
【図３】［図２］のフック部分、分離型を組立てた図である。」
【符号の説明】
【００１０】１  フック部分２  支柱３  支柱４  刳り抜き部分５  支柱６  ヘラ部分７  刳り抜き部分８  フック１体型ハンガー９  ネクタイ
【手続補正３】
【補正対象書類名】図面
【補正対象項目名】全図
【補正方法】変更
【補正の内容】
【書類名】図面    【図１】0003109023.tif 000005
【図２】0003109023.tif 000006
【図３】0003109023.tif 000007
(57)【要約】      （修正有）【課題】釣果を上げるための天秤及び針とその取り付け方法を提供する。【解決手段】アミカゴの底、沿部（重り）に８本（４本・６本）の天秤を出し、天秤の先端部分に変形２本針（各種専用針）を取り付けた。【選択図】図６
0003109021.tif 000002
【実用新案登録請求の範囲】
【請求項１】
アミカゴの底部に８本又は４本・６本の天秤をつけ、天秤の先端部分に変形２本針をつけたアミカゴセット。
【考案の詳細な説明】
【技術分野】
【０００１】  本考案は、釣具に関するものである。
【背景技術】
【０００２】    従来の天秤は針金を直角に折り曲げ、角に重りを取り付けたものがあった。
【考案の開示】
【考案が解決しようとする課題】
【０００３】    アミカゴ下部に１本の天秤を出し１本の針を取り付けたものはあったが、釣果があまり認められなかった。
【課題を解決するための手段】
【０００４】    アミカゴの底、沿部（重り）に８本（４本・６本）の天秤を出し天秤の先端部分に変形２本針（各魚種専用針）を取り付けた。
【考案の効果】
【０００５】    （１）アミカゴに集まる、回遊魚の習性を利用した。
（２）より多くの魚を釣るため針をアミカゴ近くに集めた。
（３）試し釣りの結果３倍〜５倍の効果が認められた。
【考案を実施するための最良の形態】
【実施例】
【０００６】    アミカゴと天秤２本針のセットにより、下部沿（重り）部分の中央にサルカンを取り付ける、上カゴ又は下カゴに利用出来る。
【図面の簡単な説明】
【０００７】
【図１】  アミカゴ側面図
【図２】  アミカゴ上部分
【図３】  アミカゴ底部分
【図４】  アミカゴ底部分
【図５】  ５ｃｍ二本針  ３ｃｍ二本針
【図６】  アミカゴ側面図
【図７】  底部中央サルカン
【符号の説明】
【０００８】        １    アミカゴ本体部分
２    底部分天秤、先端部分二本針
３    ハリス
４    ステンレス天秤
５    沿（重り）
６    サルカン
【図１】
0003109021.tif 000003
【図２】
0003109021.tif 000004
【図３】
0003109021.tif 000005
【図４】
0003109021.tif 000006
【図５】
0003109021.tif 000007
【図６】
0003109021.tif 000008
【図７】
0003109021.tif 000009
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
アミカゴの底部に８本又は４本又は６本の天秤をつけ、天秤の先端部分に変形２本針をつけたアミカゴセット。
(57)【要約】      （修正有）【課題】揺れ、振動で蓋上に飛び出した水滴は、再び缶の中に戻るが、直形３００ｍｍ  ３５０ｍｍ大小二種類として、囮缶の中で、二匹以上入れると追いつ追われつクルクル回りだし、ピストンエアーポンプをセットして、水がこぼれない事と、長距離移動に耐えられる移動鮎落とし蓋缶を提供する。【解決手段】落とし蓋に小さな穴をあけて、ビニールホースを流通さし、蓋の外部にピストンポンプを絞付けるベースを作るが、立ちは１５ｍｍ位の仕切のような感じで良い。移動中は絶えず、空気泡を水中に送り込む。悪路などを移動中の車内で、囮缶の水平を保つが、狭い範囲で下に布などを丸めて敷き、万が一の水漏れを考えて、市売の縁の高い特性シートを敷くとよい。【選択図】図２
0003109026.tif 000002
【実用新案登録請求の範囲】
【請求項１】
水底で、円缶友鮎がクルクル回り元気を回復し、落とし蓋をして、車両に乗せ移動するが、３ｃｍの立ち上げがあり、水は溢れるが外にはこぼれない。
【考案の詳細な説明】
【考案の詳細な説明】
友囮缶を持ち運ぶには、軽く無ければならないが、炎天下、大雨後の濁りが出たりして場所移動、河川移動はその都度、おとり鮎の元気度に留意し、絶えず水管理が必要となるが、水の減少はこの缶ではない。
【考案に属する技術分野】
鮎の出し入れをする網絞り枠を取り付け、囮鮎を水中に沈めると水流が缶底まで回るが、水代わりの限度は底から上部壁表面までは、高さ１５０〜１６０ｍｍ迄が良い。
使用後は枠を外して下に落として、濡れた物などの入れ物に使う。
【背景技術】昔から蓋は無かった。銅缶に網絞り枠を取り付けて、水中に沈め、持ち運びの紐は水中では石に縛り付けて、固定するために使った。
【考案が解決しようとする課題】
落とし蓋がこの缶を左右する特徴で  揺れ、振動で蓋上に飛び出した水滴は、再び缶の中に戻るが、直形３００ｍｍ  ３５０ｍｍ大小二種類として、囮缶の中で、二匹以上入れると追いつ追われつクルクル回りだし、ピストンエアーポンプをセットして、水がこぼれない事と、長距離移動に耐えられる。
【課題を解決するための手段】
落とし蓋に小さな穴をあけて、ビニールホースを流通さし、蓋の外部にピストンポンプを絞付けるベースを作るが、立ちは１５ｍｍ位の仕切のような感じで良い。
移動中は絶えず、空気泡を水中に送り込む。
【実旋の形態】
悪路などを移動中の車内で、囮缶の水平を保つが、狭い範囲で下に布などを丸めて敷き、万が一の水漏れを考えて、市売の縁の高い特性シートを敷くとよい。
【実践例】
丸い形は、友缶に二匹鮎を入れると、クルクル回って鼻先を傷めない。
四角い囮缶はおとり鮎の鼻先を、真っ直ぐ突き当たり痛めることを、知っていながら使っている事はもうやめよう。
水中に沈めたときは、流れが缶の内部まで流れ込むように、少し斜めに沈める。
缶体の深さは１５０ｍｍ  それ以上は水代わりが悪くなり、囮が弱り使用不能となるので注意。水中に沈めるときは落とし蓋を外す事。
【考案の効果】
水温を上げないようにすることが大切。
移動する場合は、川岸で適量の水を入れ、ピストンエアーポンプの接続を確認し、落とし蓋をするが、車までの移動は、水量を減らさないように丁寧を要する。
立ち上がり壁で外部に水漏れをシャツとアウトするが、ひっくり返っても、水を全部失ってしまう事はない。
【図面の簡単な説明】１  銅缶底部から１２０ｍｍ上がった所に網絞り枠をセットし、ピストンエアーポンプもセットしたら、点検、落とし蓋を嵌め込み紐でしっかり絞める。
２  網絞り枠は１２０ｍｍ立ち上がり途中にあり、落とし蓋はその上のＬ型部分に嵌めこむ。
内部５カ所に網絞り枠をセットするための、銅缶フックを溶接する。
外部４箇所に持ち運び用の、紐使用金具を溶接し、ヒモを通して水中での石で、固定と持ち運び用の、缶体締め付けに使う。【図１】      平面配置図
【図２】      側面配置図
【図１】
0003109026.tif 000003
【図２】
0003109026.tif 000004
【手続補正書】
【提出日】平成16年10月31日(2004.10.31)
【手続補正１】
【補正対象書類名】実用新案登録請求の範囲
【補正対象項目名】全文
【補正方法】変更
【補正の内容】
【実用新案登録請求の範囲】
【請求項１】
高さ１２０ｍｍの円缶体内部に、脱着自由な網状枠を入れ、その円缶体の外側上部に  高さ３０ｍｍの外壁を設け、揺れ、振動て水が溢れても、その円缶体の外には出ないように落とし蓋を入れた移動落とし蓋缶。
(57)【要約】      （修正有）【課題】空気が滞留して乾燥し難いゴム手袋の内部を乾かすための乾燥器具を提供する。【解決手段】ゴム手袋の各指毎に乾燥器具を挿入して内部を乾燥させる。【効果】本案の機能の有効性について、提案の類似サイズでの検証は行なっていない。しかし、提案のゴム手袋のサイズの約３倍ある胴長の乾燥では充分機能を果たしている。これに使用した発砲スチロールの管のサイズは、長さ約１ｍ、外形５ｃｍ、管の内径４．４ｃｍで、本案はこのサイズを均等縮小したサイズに近い。従って、機能面に多少の課題はあるが、本提案でも充分と考える。【選択図】図２
0003109027.tif 000002
【実用新案登録請求の範囲】
【請求項１】
素材に発砲スチロールを用いた円筒の表面に、図２に示すような手袋の内面と円筒の表面に空間を生じさせるための突起を設け、円筒を差し込むだけで、発砲スチロールの断熱作用によって発生する手袋内側の空間と円筒内の温度差による空気の循環を利用した乾燥器具。
【考案の詳細な説明】
【考案の詳細な説明】
【技術分野】
【０００１】本案は、空気が滞留し乾燥し難い袋状の内側を乾かすための乾燥器具。
【背景技術】
【０００２】ゴム手袋のようなものの乾燥は、その内部を広げて空間を作る方法が一般的で、空気が滞留する場所の乾燥は温風等動力ファンを用いることが多い。
【考案が解決しようとする課題】
【０００３】ゴム手袋は洗っても乾き難いという点で、洗濯がためらいがちになる。ゴム手袋の特性でその内部は汗ばみ、一層不潔とる。衣類と同じように簡単に乾けば躊躇せず洗濯でき、より清潔な状態で使用できる。
【課題を解決するための手段】
【０００４】現在の製造技術を以ってすれば全く問題ないし、安価に製造可能である。
【考案を実施するための最良の形態】
【実施例】
【０００５】ゴム手袋を洗濯後、水を切って指先を下にして洗濯挟に吊るし、乾燥器具をゴム手袋の指毎に挿入する。
【考案の効果】
【０００６】内部を表に返しての乾燥も可能であるが、本具の挿入だけで面倒さが解消。
【図面の簡単な説明】
【図１】器具全体図
【図２】円筒表面の突起と手袋内側空間の空気の流れ
【図１】
0003109027.tif 000003
【図２】
0003109027.tif 000004
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
素材に発砲スチロールを用いた円筒の表面に、手袋の内面と円筒の表面に空間を生じさせるための突起を設け、円筒を差し込むだけで、発砲スチロールの断熱作用によって発生する手袋内側の空間と円筒内の温度差による空気の循環を利用した乾燥器具。
(57)【要約】      （修正有）【課題】屋内の電線ケーブルを配線する時に使用する樹脂製ケーブルハンガーを提供する。【解決手段】固定ベース１とケーブルハンガー部２とが折り曲げ可能なヒンジ９によって一体型に取りつけられており、固定ベース１をビス等で固定後、ハンガー部２を起してケーブル収納部を形成する。又ハンガー部には、増設用ケーブルハンガーの接合部３を有しており、この接合部に接合可能な接続部を有するハンガーを接合部３によって増設可能となっている。【選択図】図１
0003109024.tif 000002
【実用新案登録請求の範囲】
【請求項１】
嵌め合いによる増設可能な樹脂製ケーブルハンガー
【請求項２】
共通ベースを特徴とする樹脂製ケーブルハンガー
【考案の詳細な説明】
【考案の詳細な説明】
・本考案は、屋内配線時に電線を支持固定するケーブルハンガーに関するものである。既製の樹脂製ケーブルハンガーは、電線の支持部（収容部）の口径が異なる単体のもので、最初の施工時に必要な最小の口径のハンガーで支持をしてしまうので、想定外の変更や増設による収納電線の増加時には、新たに別のケーブルハンガーの取り付けが必要になり、迅速には対応できない。・本考案は、固定側のケーブルハンガー本体１に、増設用の電線の支持部（収容部）２を装着するために、双方に接合部３を設けてワンタッチで増設用のケーブルハンガーを取り付けるものである。・これを図面により説明すると［図１］は、固定ベース１とハンガー部２が一体型のケーブルハンガーで折り曲げ可能な一体型のヒンジ９によってハンガー部分２が下方に大きく開くので固定をする時に邪魔にならず、固定側も薄くできるので短い木ビスや釘でも直角に固定ができる。［図２］は、ベース部１を固定した後にハンガー部２を起こして全てセットした斜視図［図３］は、増設用のハンガー４の斜視図で、この増設用のハンガー４は異なる大きさの物が実施可能である。［図４］は、増設用のハンガー４を装着した斜視図。［図５］は、上下に電線の支持部２のある固定側ケーブルハンガーの斜視図である。［図６］は、［図５］の増設用ケーブルのハンガーで、前後に接合部３を設けているので、数段の接合が可能なので収容本数が多い時は有効である。［図７］は、［図６］に［図７］をセットした斜視図で［図３］のような単体の支持部４をセットすることも実施可能である。［図８］は、固定側ベース１とハンガー部２が、分離されたものである。固定ベース１のみを、想定される。固定箇所に予め止めておき、最適な大きさのハンガーを選択できるようにしたものでフック状のスタッド７に、ハンガー側の角穴８を引っ掛け入れてセットをする。このようにすると、［図９］のように支持部２が大きいハンガーも簡単にセットや交換が素早くできて、しかも接合部３によって［図３］のような単体のハンガー４の増設にも対応できる。
【図面の簡単な説明】
【図１】固定ベース１とケーブルハンガー部２が、成型一体のヒンジ９によって開く一体型のケーブルハンガーの斜視図で、増設用の接合部３がついている。
【図２】構造物に固定側１を留めた後に支持部２を起こしてセットした斜視図、
【図３】増設用のハンガー部４の斜視図
【図４】「図３」の増設用のハンガーを接合した斜視図
【図５】上下に支持部２がある固定側のケーブルハンガーの斜視図
【図６】「図５」の固定側のケーブルハンガーに連結するために、前後に接合部３がある増設用のケーブルハンガー
【図７】「図５」に「図６」の増設用のケーブルハンガーを連結した斜視図
【図８】固定ベース１とハンガー部２が独立したタイプのもので、固定ベース１を予め留め続けた後に、適正なサイズのハンガーをスタッド７に引っ掛け入れる
【図９】電線の収容部２が大きいセパレートタイプのハンガー部本体の斜視図
【記号の説明】
１固定側ベース    ２電線支持部    ３接合部    ４増設用ハンガー    ５ビス穴    ６回転防止ピン    ７フック状スタッド    ８スタッド差込み穴    ９樹脂一体型ヒンジ
【図１】
0003109024.tif 000003
【図２】
0003109024.tif 000004
【図３】
0003109024.tif 000005
【図４】
0003109024.tif 000006
【図５】
0003109024.tif 000007
【図６】
0003109024.tif 000008
【図７】
0003109024.tif 000009
【図８】
0003109024.tif 000010
【図９】
0003109024.tif 000011
【手続補正書】
【提出日】平成16年11月24日(2004.11.24)
【手続補正１】
【補正対象書類名】実用新案登録請求の範囲
【補正対象項目名】全文
【補正方法】変更
【補正の内容】
【実用新案登録請求の範囲】
【請求項１】
樹脂一体の連結部３を設けて、増設が可能な樹脂製ケーブルハンガー
【請求項２】
固定ベースにフック状のスタッド７を付けて、収納サイズの異なるハンガー部本体の交換が可能な、共通ベースを特徴とする樹脂製ケーブルハンガー
(57)【要約】      （修正有）【課題】残ったスープだし等を有効利用する。【解決手段】湯切り機能付き熱湯対応カップ１に熱湯で戻る麺２を梱包し、その麺を別のカップ麺の替え麺として利用する。【選択図】図１
0003109025.tif 000002
【実用新案登録請求の範囲】
【請求項１】
湯切り機能付き熱湯対応カップ１に、熱湯を注ぐことで戻る麺２を梱包。前述麺は麺のみまたは少量の食塩または薄めのスープまたは薄めのだし等で味付けを施したものとする。別のカップ麺の替え麺として利用する麺。
【考案の詳細な説明】
【考案の開示】
【考案が解決しようとする課題】
【０００１】  カップ麺を食べた後もの足りなさを感じることがある。またスープ・だしなどが残ることがある。
【課題を解決するための手段】
【０００２】  熱湯を注ぐことで復元する麺のみ、或いは少量の食塩または薄めのだしまたはスープ等で味付けを施した前述の麺を湯切り機能付き熱湯対応カップに梱包する。これに熱湯を注いで前述麺を復元し、湯を切った後、「既に食べ終わり、スープまたはだしなどの残った別のカップ麺」に入れ、替え麺として利用する。
【考案の効果】
【０００３】  カップ麺を食べた後にもの足りなさを感じたときもうひとつ買うよりも替え麺の方がコストが抑えられると考えられる。サイズに迷った時も替え麺があれば食べた後で選択することができる。また残ったスープだしなどを有効に利用することができる。
【図面の簡単な説明】
【図１】カップと麺の断面図である。
【符号の説明】
１  湯切り機能付き熱湯対応カップ
２  麺
【図１】
0003109025.tif 000003
【手続補正書】
【提出日】平成16年10月25日(2004.10.25)
【手続補正１】
【補正対象書類名】実用新案登録請求の範囲
【補正対象項目名】全文
【補正方法】変更
【補正の内容】
【実用新案登録請求の範囲】
【請求項１】
・  湯切り機能付き熱湯カップ１に、熱湯を注ぐことで戻る麺２を梱包。
・  前述麺は麺のみ、または少量の食塩、または薄めのスープ・だし等で味付けを施したものとする。
・  前述麺は別のカップ麺の替え麺として利用するものとする。
以上の構成からなることを特徴とするカップ麺。
(57)【要約】      （修正有）【課題】汚れた爪垢を容易に落とす事を目的とし、繊維も長持ちさせ伸びを吸収する事が出来、又、使用者が使い易く安全な爪垢クリーナー。【解決手段】中心に凹み及び両端を嵩上げした枠木を配し、枠木の中ほどに繊維を束ね、繊維の両端をスプリングで引張した爪垢クリーナー。【効果】爪垢を容易に落とせ、構造が簡単で破損消耗しにくい。又、安全であり、軽便である。【選択図】図２
0003109032.tif 000002
【実用新案登録請求の範囲】
【請求項１】
中心に凹み及び両端を嵩上げした枠木を配し、枠木の中ほどに繊維を束ね、繊維の両端をスプリングで引張した、爪垢クリーナー。
【考案の詳細な説明】
【考案の詳細な説明】
【産業上の利用分野】
【０００１】  この考案は、特に自動車の整備や修理において、油による爪の汚れや垢を取り除くのに、容易及び軽便に行うのを目的とするためのものである。
【背景技術】
【０００２】  現在爪の垢取りは、主にたわし、はけブラシ等を使用して行われ、又、一部複雑な高周波を利用した洗浄器も利用されている。
【考案が解決しようとする課題】
【０００３】  爪の垢は容易に取りにくいものであり、時間をかけて落とすのに苦慮されている現状である。繊維を配して、爪と肌の間に石鹸などをつけよくこすると、爪の垢は落ち易い。しかし、繊維がすぐ伸び切ってしまう。又、力のかけ具合で肌を傷付け易い等、考慮すべき課題が見出される。
【課題を解決するための手段】
【０００４】  本考案は前記不具合を解決し、繊維の伸長をスプリングによって吸収し、又、枠木（ガイド）の使用によって力のかけ具合を制御する等以上の長所を見出すため、次の構成によるものである。
【０００５】  凹みのついた枠木４本を四角に組み付け、両端に溝を付け、その溝にＯリングをはめ込んで嵩上げした上で、４本の枠木を固着する。その凹みに沿って繊維の両端をフックに挟み込んで束ね、枠木の端部にひっかけ固定する。同様にもう一本繊維を束ね、枠木の反対側端部に上記同様に面をかえて固着する。
【０００６】  枠木の両端部に位置する繊維をあらかじめ枠木の内部にはめ込まれていたスプリングの両端部でとらえ内部に引張する。又、枠木の両端部にはゴムのキャップをはめ込み角部を保護、及び取り扱い易さを助長する。
【作用】
【０００７】  上記のような構成によると、爪垢を取る場合、爪の間に洗剤を付け左右にこすると、柔らかな繊維である以上、使用中に繊維が伸びきってしまう懸念があり、この欠点を補うため、内部スプリングでこれを吸収する。又、凹みのある枠木とＯリングの組み合わせによる嵩上げの構造により、繊維と枠木の間に適度な隙間が出来、よって爪の間に繊維が入り易い長所が発生する。又、この隙間の適当な取り方により、人の作用する力を制御し、使用時の繊維のたわみを調整することが出来る。
【実施例】
【０００８】  図１は前記構成の実施例を示す説明図であり、１は枠木、２は繊維、３はキャップで構成されている。【０００９】  図２は本構成の説明図であり、キャップ３を取り除いた状態を表している。枠木１は凹みを外面部に持ち、各々４枚を背合わせに構成し、端部間際に溝を刻設し、同溝にＯリング４を嵌合して枠木４枚の固定を確実にするとともに、枠木１と繊維２との間に適度なクリアランスをもたらす目的による嵩上げを行い、凹みに沿って繊維２の両端をフック５に挟み込んで束ね、枠木端部にひっかけて固定する。同様にもう１本、別系統の束ねた繊維を枠木の反対側端部に上記同様、対称に面を移動して固着する。枠木の両端部に位置する繊維２をあらかじめ枠木の内部にはめ込まれていたスプリング６の両端部でとらえ内部に引張する以上の構成である。
【考案の効果】
【００１０】  以上に述べたよう、本構成によると、爪垢クリーナーとして洗剤を付け繊維に爪を擦る事により、容易に爪垢を落とし易い。又、簡単な構造で破損しにくく、軽量で持ち運びに便利なうえに安全である。そして繊維が傷みにくく長持ちする等の長所がある。
【図面の簡単な説明】
【図１】  この考案の実施例を示す説明図。
【図２】  この考案の実施例を示すキャップを外した状態の説明図。
【符号の説明】
１・・枠木
２・・繊維
３・・キャップ
４・・Ｏリング
５・・フック
６・・スプリング
【図１】
0003109032.tif 000003
【図２】
0003109032.tif 000004
【手続補正書】
【提出日】平成16年12月28日(2004.12.28)
【手続補正１】
【補正対象書類名】実用新案登録請求の範囲
【補正対象項目名】全文
【補正方法】変更
【補正の内容】
【実用新案登録請求の範囲】
【請求項１】
長方形の枠木の中ほどに、樋（とい）状のへこみ（溝）を設け、枠木４枚を溝をおもてに四角（柱状）に組み合せ、両端部を弾性帯で枠木をたばねる状態で溝に直角に嵌めこみ、２本のたばねた繊維を左右の弾性帯の表面にさしわたし、１本の繊維のたばはあい対する枠木の両端にフックで固着し、もう１本の繊維も逆の方向から互いに交わることなく交互に固着し、繊維と繊維の長さの中心を角柱の枠木の内部で互いにスプリングにより引張された爪垢クリーナ。
(57)【要約】【課題】入浴中に背中や足のツボを刺激できる器具を提供する。【解決手段】網状の布製品（１）に複数個のツボ刺激用の物体（２）を取り付け、吸盤（３）で浴槽内に固定できるようにする。【選択図】  図１
0003109031.tif 000002
【実用新案登録請求の範囲】
【考案の詳細な説明】
【技術分野】本考案は、網状の布製品にツボ刺激用の固体を取り付け、入浴時に手軽にツボ刺激できるようにしたものである。
【背景技術】
【０００１】従来は、ツボ刺激用の固体が板、マット、シートに取り付けられ、網状の布に取り付けられたものはなかった。
【考案が解決しようとする課題】
【０００２】これには次のような欠点があった。
（イ）本体が板、マット、シートだと素材や形状に柔軟性が欠けるため、ツボ刺激部分の  微調整が難しかった。
（ロ）従来の器具だと折りたたみが困難であったり、折りたためたとしても小さくまとま  らないため、未使用時に場所を取り邪魔だった。同じ理由で旅行、出張等の携帯に不向  きだった。
（ハ）従来の器具だと乾燥に時間がかかり、使用後に濡れたまま持ち歩くことになる点が  携帯に不向きだった。また乾燥に時間がかかると清潔な状態を維持できない。
本考案は以上の欠点を解決するためになされたものである。
【課題を解決するための手段】
【０００３】網状の布（１）に複数個のツボ刺激用の固体（２）  （２）  （２）  （２）  （２）  （２）  （２）  （２）  （２）  （２）を取り付け、吸盤（３）  （３）  （３）  （３）で浴槽内に固定できるようにした。
【実施例】
【０００４】以下、本考案の実施例を説明する。
（イ）本体の網状の布（１）にツボ刺激用の固体（２）  （２）  （２）  （２）  （２）  （２）  （２）  （２）  （２）  （２）を取り付ける。
（ロ）本体（１）の四隅に吸盤（３）  （３）  （３）  （３）を取り付ける。
本考案は以上のような構造で、これを使用するときには、本体（１）を広げ吸盤（３）（３）  （３）  （３）で浴槽内の壁面に貼り付け、本体（１）に固定されているツボ刺激用の物体（２）  （２）  （２）  （２）  （２）  （２）  （２）  （２）  （２）  （２）に、体や足を押し付ける。未使用時には本体（１）を吸盤（３）  （３）  （３）  （３）で、浴室の壁面に貼り付け乾かすことができる。
【考案の効果】
【０００５】入浴時に浴槽内で背中や足のツボを刺激し、心地よさを得ながら健康増進を図ることができる。
【図面の簡単な説明】
【０００６】
【図１】  本考案の正面図
【図２】  本考案の側面図
【図３】  本考案を実施中の斜視図
【符号の説明】
【０００７】１  本体網状の布製品
２  ツボ刺激用の固体
３  本体固定用吸盤
【０００８】
【図１】
0003109031.tif 000003
【図２】
0003109031.tif 000004
【図３】
0003109031.tif 000005
【手続補正書】
【提出日】平成17年1月6日(2005.1.6)
【手続補正１】
【補正対象書類名】実用新案登録請求の範囲
【補正対象項目名】全文
【補正方法】変更
【補正の内容】
【実用新案登録請求の範囲】
【請求項１】
ツボ刺激に適したゴム等の素材の球を本体に複数固定し、浴槽に貼り付けられるように四隅に吸盤を付け、入浴時に手軽に背中や足のツボ刺激を行えるようにした、網状の布製品。
(57)【要約】      （修正有）【課題】理容師・美容師が毎日多くのお客様の頭皮・頭髪などをシャンプーする為、手荒れがおきやすい。手荒れを防ぐと共にマッサージ効果を与えるグローブを提供する。【解決手段】手荒れを防ぐゴム手袋２において、手のひら側の指先より第二関節位までの部分に、やや軟らかいゴムの突起物３をつけ、シャンプー時にマッサージ効果を与える様にした。【選択図】図２
0003109040.tif 000002
【実用新案登録請求の範囲】
【請求項１】
頭髪・頭皮など、シャンプーで洗う時ゴム手袋の指についているゴムブラシにて、リラクゼーション及び血行を良くして育毛マッサージ効果を上げ、シャンプー施行者の手荒れを防ぐグローブ。
【考案の詳細な説明】
【技術分野】
【０００１】本考案は、頭髪・頭皮など、洗う時手荒れを防ぎマッサージ効果を上げるグローブである。
［背景技術］【０００２】理容師・美容師など、シャンプーなどに含まれている物質などで手荒れをおこし、仕事を断念する人がいる。
［考案の開示］
［考案が解決しようとする課題］【０００３】手荒れを防ぐ為に、ゴム手袋をして、お客様などにシャンプーをすると、あまりここち良くなく、お客様に不快感を与えてしまう。
［課題を解決するための手段］【０００４】シャンプーなど施行する時、頭皮・頭髪にあたるグローブの指先にゴムブラシを付ける事により、頭のツボを刺激して、血行を良くして、育毛効果を上げて、又グローブをして、シャンプーをしてもお客様にリラクゼーション効果を与える。
［考案の効果］【０００５】理容師・美容師など、毎日数多くのお客様の頭皮・頭髪などをシャンプーする時、フィンガーブラシ付グローブを使用することで手荒れを防ぎ、さらに頭皮マッサージが効果的で血行を良くして育毛効果をあげて、お客様へのリラクゼーション効果を引き出す事ができる。
［考案を実施するための最良の形態］【０００６】頭部をシャンプーする時、頭の形は円形の為、手でシャンプーする際、頭皮に触れる部分は、手のひら側の指先より第二関節位までであり、その部分に、やや軟らかいゴムの突起物を付けたグローブにより、マッサージ効果を上げる。ゴムの突起物の長さは作業し易い５〜６ｍｍが良い。
【図面の簡単な説明】
【０００７】［図１］グローブの手の甲側の図
［図２］グローブの手のひら側の図
［図３］グローブの横面の立体図
【符号の説明】
【０００８】１  グローブの手の甲側の図
２  グローブの手のひら側の図
３  グローブの手のひら側の指の突起物
４  グローブの側面図
５  グローブの指の部分のひら側に付けた約５〜６ｍｍ位の突起物の立体図
６  グローブの指部の甲側の立体図
【図１】
0003109040.tif 000003
【図２】
0003109040.tif 000004
【図３】
0003109040.tif 000005
(57)【要約】      （修正有）【課題】建設用大径角形鋼管（最大、巾５００ｍｍ×高さ５００ｍｍ×長さ６０００ｍｍ、重量１６００ｋｇ）を洗浄する、主として塗装前工程における防錆油除去を容易に、安全にする為の水溶性洗剤による洗浄システムの提供。【解決手段】スプレイ式洗浄室５と水切りエアーブロー室６からなるスルータイプ式洗浄機２にて、循環式の加温水溶性洗浄液にて防錆油が除去されるものであるが、大径角形鋼管９の自重を洗浄機本体２には負荷させないで、入口及び出口のローラーコンベア１及び３が荷重を負荷する。洗浄の前半において、入口ローラーコンベア１が片持ちばりのかたちで重量を負荷し、洗浄の後半には、出口ローラーコンベア３が重量を負荷しつつ洗浄をしてゆくことにより、塗装前工程の防錆油除去を容易に安全にならしめる。【選択図】図１
0003109033.tif 000002
【実用新案登録請求の範囲】
【請求項１】
ワーク荷重を入口コンベアーと出口コンベアーのみに負荷させ、スルータイプ式洗浄機本体には負荷無しで搬送し、洗浄するところの、主として建設用大径角形鋼管（最大、巾５００ｍｍ×高さ５００ｍｍ×長さ６０００ｍｍ、重量１６００ｋｇ）の塗装の為の防錆油除去を目的とした水溶性洗剤による洗浄システム
【考案の詳細な説明】
【技術分野】
【０００１】  本考案は、ワーク荷重を入口コンベアーと出口コンベアーのみに負荷させ、スルータイプ式洗浄機本体には負荷無しで搬送し、洗浄するところの水溶性洗浄システムに関するものである。
【背景技術】
【０００２】  ビル用鉄骨の原材料は防錆油で保護されているが、加工後の塗装前処置として、有機溶剤とウエスにて、人力で防錆油を除去するのに苦労している。
【考案の開示】
【考案が解決しようとす課題】
【０００３】  有機溶剤とウエスによる防錆油の除去は労働負担も大であり身体への影響もあり、環境問題もとりざたされているし、場所も広く取り、反転するのも大変で、危険な作業を伴う。従って防錆油除去作業を機械化して、自動化すれば安全で、迅速に、容易に作業がすすみ、前述の問題を解決しようとするものである。
【問題を解決するための手段】
【０００４】  本考案は、スプレイ式洗浄室と水切り用エアーブロー室からなるスルータイプ式洗浄機で、循環式の加温水溶性洗浄液にて防錆油が除去されるものであるが、大径角形鋼管の自重を洗浄機本体には負荷させないで、入口、出口のローラーコンベアが荷重を負荷する。洗浄の前半において、入口ローラーコンベアが片持ちばりのかたちで重量を負荷し、洗浄の後半には、出口ローラーコンベアが重量を負荷しつつ、洗浄をしてゆくことにより問題点を解釈している。
【考案の効果】
【０００５】  上述の様に本考案の建設用大径角形鋼管水溶性洗浄システムは、クレーンにて入口ローラーコンベアに置けば、洗浄及び水切りエアーブロー、自然乾燥まで手押しにて簡単に出来るので、有機溶剤もウエスも、たくさんの人手もいらないし、時間も、場所も取らず、コストも下がり、安全度も増す。
【考案の実施するための最良の形態】
【０００６】  入口側ローラーコンベアは鋼管の最大長さ及び最大重量に耐え、かつ衝撃荷重に十分に耐えるものを用意し、洗浄機本体の長さは、投入最小長さの鋼材の半分以下とする。可能最小長さの鋼材の安定の為に、入口側洗浄槽（船）にフリーローラーを地面に支点を置いて、取り付ける。同様に、出口側洗浄槽（船）にも、フリーローラーを地面に支点を置いて、取り付ける。出口側ローラーコンベアは最大鋼管の長さ及び最大荷重に耐えればよい。以上により大径角形鋼管の移動は設定され、一般のスルータイプ式洗浄装置と同様に、洗浄、エアブロー、放置乾燥といった工程で防錆油の除去は完了する。
【実施例】
【０００７】  以下、添付図面に従って一実施例を説明する。１は入口ローラーコンベア、２はスルータイプ式水溶性洗浄機、３は出口ローラーコンベア、４は入口側洗浄槽に設けたフリーローラーで地面を支点とする。同様に、７は出口側洗浄槽に設けたフリーローラーで地面を支点とする。クレーンにより入口ローラーコンベア１に置かれた鋼材９は重心を入口ローラーコンベアに残したまま、前半分は、洗浄室５、エアーブロー室６を通過してゆき、後半分は、出口ローラーコンベア３に重心を置いて、洗浄、エアーブローとすすんでゆく。なお洗浄機本体には鋼材の荷重は負荷されないので板金構造でも十分耐えられる。洗浄機は洗浄液噴射装置、洗浄液加温装置、油水分離装置、水切りエアーブロー装置からなり、入口、出口端面には、水切り用のゴムベロスクレーパー１４，１５が上、左、右、に取り付けられる。
【図面の簡単な説明】
【０００８】
【図１】本考案の建設用大径角鋼管水溶性洗浄システムのライン構成及び洗浄機本体を示す正面図である。
【図２】洗浄機の正面図である。
【符号の説明】
【０００９】  １    入口ローラーコンベア
２    洗浄機本体
３    出口ローラーコンベア
４    入口側フリーローラー
５    洗浄室
６    水切りエアーブロー室
７    出口側フリーローラー
８    ストッパー
９    大径角形鋼管
１０  洗浄液タンク
１１  加温ヒーター
１２  洗浄用ポンプ
１３  洗浄槽（船）
１４  入口ゴムベロスクレパー
１５  出口ゴムベロスクレパー
【図１】
0003109033.tif 000003
【図２】
0003109033.tif 000004
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
スルータイプ式洗浄機で本体自体にはワーク駆動装置をもたず，本体全長の２倍以上のワークを対象とした装置で、軽量構造材と、板金構造による，洗浄槽，上部カバー，洗浄液タンクからなり、洗浄液噴射装置，洗浄液加温装置，油水分離装置，水切りエアーブロー装置を備え，第一工程で水溶性洗浄液によるスプレイ洗浄をし，第二工程で水切りエアーブローをするところを特徴とする建設用大径角形鋼管水溶性洗浄システム
(57)【要約】      （修正有）【課題】老人や子供又は病人でも服のボタンが簡単に掛ける事のできる器具を提供する。【解決手段】器具を使ってボタンホオル６を通してボタン５に掛け引抜く事によって、楽にボタンを掛けることが出来るようにした器具である。【選択図】図１
0003109014.tif 000002
【実用新案登録請求の範囲】
【請求項１】
器具を使って  Ｙシャツの襟首や袖口のボタンを簡単に止める事ができる器具であるる。
【考案の詳細な説明】
【考案の詳細な説明】
【考案に属する技術分野】
【０００１】本考案  シャツのボタンホールより、器具を差し込みそのＵの字部分にボタンを掛け、引き抜くことにより、ボタン止まる、器具である
【実施例】
【０００２】  以下添付図面に従う説明する
図１  １の器具を６ボタンホールに通し５のボタンに掛け、引き抜く。
【図面の簡単な説明】
【図１】本考案の図面は、ボタン掛け器具の正面を示すものである
【図２】本器具の断面を示す物である
【符号の説明】
１  取っ手は安定の為設ける
２  角度をつけ、かるく曲げる
３  Ｕ字に曲げる
４  溝を加工する
５  ボタン
６  ホタンホール
【図１】
0003109014.tif 000003
【図２】
0003109014.tif 000004
【手続補正書】
【提出日】平成16年7月16日(2004.7.16)
【手続補正１】
【補正対象書類名】実用新案登録請求の範囲
【補正対象項目名】全文
【補正方法】変更
【補正の内容】
【実用新案登録請求の範囲】
【請求項１】
取っ手（１）の先端に、ボタン糸目の溝（４）をＵの字に加工し、その先をＵの字形に折り曲げる。  ボタン掛け器具。
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
取っ手の、先端に溝を加工し、さらに、その先端をＵ字に折り曲げてなることを特徴としたボタン掛け器具。
(57)【要約】      （修正有）【課題】言語の障害のある人が車に乗車した際、ことばでは行きたい場所などの意思表示が運転者に伝わらなく、両者の伝達方法を容易にする車乗運転指示具を提供する。【解決手段】後部座席側に設置された発信機のボタン操作が運転席側に設置された受信機１に連動し受信機のボタンの点灯とブザーにて後部座席１５に乗車した人１の行動の意思が運転者に伝達される。【選択図】図３
0003109017.tif 000002
【実用新案登録請求の範囲】
【請求項１】
発信機本体（２）と受信機本体（１）とがボタン操作にて接続連動する伝達機能を持つ車乗運転指示具
【請求項２】
発信機本体（２）を伝達元である乗客側に、受信機本体（１）を車の運転者側に装備した請求項１記載の車乗運転指示具
【考案の詳細な説明】
【技術分野】
【０００１】  本考案は、言語に障害のある方が車に乗車した際に、運転者に進行方向・止まれなどの指示をボタンで伝達するための装置に関するものである。
【背景技術】
【０００２】  従来は、言語に障害のある人が運転者に意思を伝えるには、手話や身振りや手振りで伝えるしかなかった。【０００３】    路線バスなどは、利用する時に降車の合図さえ運転者に伝われば車を停車することができるので、降車の合図を備えてさえいれば、言語障害者は路線バスは心配しないで利用できた。
【考案の開示】
【考案が解決しようとする課題】
【０００４】  言語に障害のある人が交通機関を利用するには、さまざまな制約があった。車の運転者と乗客となる言語障害者の間には信頼とコミュニケーションが必要である。
従来の運転者への伝達方法では次のような欠点があった。
（１）運転者は乗客が言語に障害があることを認識していなくてはならなかった。
（２）運転者は乗客である言語障害者がどこに行きたいのか運転する前に確認しておかなければならなかった。
（３）車の運転中に運転者は乗客が見えず、言語障害者の意思はほとんど運転者には伝わらなかった。
（４）運転中での言語障害者との手話や手振りでの会話は、運転に支障をきたす以上に交通事故などの危険をはらんでいる。
【課題を解決するための手段】
【０００５】  本考案での、前記目的の達成のための手段は、次の構成である。運転者が容易に認識できる視野の位置に、「左折」・「右折」・「速度を上げる」・「速度を下げる」・「停止」それぞれ意味する図１に示すボタン５つを備えた受信機を設置する。後部座席に乗車した人が容易に操作できる位置に、運転者に「左折」・「右折」・「速度を上げる」・「速度を下げる」・「停止」それぞれ意味する図２に示すボタン５つを備えた発信機を設置する。図３に示すように、ボタンによる発信機の操作が即座に受信機に伝達するようケーブルもしくは無線にて接続する。発信機・受信機双方のボタンは操作確認できるようランプが点滅し、ブザーでも知らせる装備も備えている。
【考案の効果】
【０００６】（１）装置は複雑な配線や取り付けが必要なく、容易に取り付けが可能である。
（２）発信機も受信機も５つのボタンが十字状に配列され、ボタンには文字と矢印で表示内容が記されているため、指先での操作も簡単で判りやすい。
（３）発信機も受信機もランプとブザーが備わっているので操作の確実性に優れている。
（４）福祉タクシーや福祉の送迎車両など社会福祉に貢献できる。
（５）言語障害者にとっては車の運転者が自分の希望するところへ確実に連れていってくれるので安心感を得ることができる。
（６）車の運転者は確実な意思伝達手段である手話を理解していなくても言語に障害のある人を車に乗せられるので、この装置が普及すれば、言語障害者が交通機関を利用する機会が増大する。
【考案を実施するための最良の形態】
【０００７】  本考案の実施の形態について、図とともに具体的に説明する。図１は運転者側に設置され、発信機により後部座席に乗車した人の行動の意思が表示される受信機である。図２は後部座席側に設置され、後部座席に乗車した人が直接ボタンを指で押して行動の意思を伝えるための発信機である。発信機に車の左折と右折を意味する「左へ」「右へ」ボタンと車の速度調節のために上下位置に「早く」「遅く」ボタン、中央部には車の停止を指示するための「止まれ」ボタンが配置される。【０００８】  後部座席に乗車した人がボタンを押して示した行動の意思は、発信機に連動して運転席側受信機には矢印表示とＳＴＯＰそれぞれのボタンがランプの点滅とブザーにて知らされる。【０００９】  車乗運転指示具を図４のように後部座席２列目及び３列目以降に連結して装備すればワゴン車や送迎バスなどにも応用することができる。
【図面の簡単な説明】
【図１】  受信機の説明図
【図２】  発信機の説明図
【図３】  普通乗用車に装備した図
【図４】  ３列シートに装備した説明図
【符号の説明】
１  受信機本体
２  発信機本体
３  接続ケーブル
４  左へボタン
５  右へボタン
６  早くボタン
７  遅くボタン
８  止まれボタン
９  左矢印ボタン
１０  右矢印ボタン
１１  早く印ボタン
１２  遅く印ボタン
１３  止まれ印ボタン
１４  乗用車
１５  後部座席乗客
１６  運転者
１７  ワゴン車
１８  最後尾座席乗客
１９  最後尾発信機
【図１】
0003109017.tif 000003
【図２】
0003109017.tif 000004
【図３】
0003109017.tif 000005
【図４】
0003109017.tif 000006
(57)【要約】      （修正有）【課題】従来のレジャーシートはそれを敷くことにより、座っても汚れない領域を形成するものであるが、設営にはそれなりのスペースを必要とする。また、数人で利用する時には、各人の距離や配置はシートの大きさに制約され、シートが大きくなれば設営が大掛かりで時間がかかる。さらに、古新聞やダンボールをこれらの代用として用いる場合、不十分な点も多い。前述の欠点を解消しようとするものである。【解決手段】屋外用座布団を目的にあった耐水性・耐磨耗性・耐汚性などの必要性能に応じて、硬質ウレタン、ＥＶＡシート等の適応する素材を用いて製作することで、場所を選ばない屋外利用を可能にする。【選択図】図１
0003109020.tif 000002
【実用新案登録請求の範囲】
【請求項１】
屋外利用を目的とした座布団
【考案の詳細な説明】
【技術分野】
【０００１】  屋外利用を目的とした座布団に関するものである。
【背景技術】
【０００２】  屋外で人が直接地面に座る際には、衣服が汚れるなどの理由により、レジャーシート（ビニール製敷物）や、簡易的には古新聞やダンボールなどを尻部に敷いて使用する事が多く、専用の屋外利用を目的とした座布団はなかった。
【考案の開示】
【考案が解決しようとする課題】
【０００３】  従来のレジャーシートはそれを敷くことにより、座っても汚れない領域を形成するものであるが、設営にはそれなりのスペースを必要とする。また、数人で利用する時には、各人の距離や配置はシートの大きさに制約され、シートが大きければ大きいほど設営が大掛かりで時間がかかる。さらに、古新聞やダンボールはこのような屋外での着座を専用としたものではないで、体裁・耐水性・耐久性などにおいて不十分な点もある。本考案は専用の屋外利用を目的とした座布団によって前述の欠点を解消しようとするものである。
【課題を解決するための手段】
【０００４】  座布団は尻部に敷いて座ることを目的としており、広いスペースを必要としない。また、一人一人が１枚ずつ使用するため、好きな場所に座ることが出来る。これらの長所を生かした屋外用座布団により上述の問題を解決している。
【考案の効果】
【０００５】  本考案の屋外用座布団は屋外で座ることが出来ことは勿論であるが、設営が簡単で広いスペースを必要としなので、場所を選ばず気軽に座ることが出来る。また、数人でそれぞれ本考案の屋外用座布団を利用した場合においても、これらは自由に配置が可能であるため、利用者もさまざまな配置で座ることが出来る。これらのことにより、屋外活動の快適性と利便性を向上させるのに役立つ。
【考案を実施するための最良の形態】
【０００６】  本考案の屋外用座布団を、目的にあった耐水性・耐磨耗性・耐汚性などの必要性能に応じて、硬質ウレタン、ＥＶＡシート等の適応する素材を用いて製作することで、場所を選ばない屋外利用が可能となる。また、形状に関しては、尻部に敷くのに適当な大きさで、利用目的にあわせて様々な形を製作することができる。
【図面の簡単な説明】
【図１】  本考案の屋外用座布団の参考アイソメ図
【図２】  本考案の屋外用座布団の参考形状。尻部に敷くのに適当な大きさで、様々な形状に製作した例。
【図３】  本考案の屋外用座布団を使用している様子。
【図１】
0003109020.tif 000003
【図２】
0003109020.tif 000004
【図３】
0003109020.tif 000005
【手続補正書】
【提出日】平成16年10月28日(2004.10.28)
【手続補正１】
【補正対象書類名】実用新案登録請求の範囲
【補正対象項目名】全文
【補正方法】変更
【補正の内容】
【実用新案登録請求の範囲】
【請求項１】
人１人が座るのに充分な大きさに成形されたシート状の屋外用座布団